(57)【要約】  錠前は電子モジュール（３０）を備え、本体（１０）と別体のユニット（１８）から形成される。ユニット（１８）はロッキング機構（２３）を備え、錠前本体（１０）から分離可能である。分離すると別々にアクセスする必要がなくなり、電子モジュール（３０）へのアクセス自体が容易になる。これによって安全性が増大する。ロッキング機構（２３）、電子モジュール（３０）と本体（１０）は交換可能な各コンポーネントと交換することができる。
2008513627.tif 000002
【特許請求の範囲】
【請求項１】
本体と、施錠位置に出し入れする際に本体に対して移動し得るロッキング部材と、本体と係合して施錠位置にロッキング部材をロックし、施錠位置からロッキング部材を外すために開錠可能にする機械的なロッキングユニットと、本体に通ずるキャビティと、キョビティ内に配置されるサブユニットとを備え、サブユニットは電力源とこの電力源によって作動する装置を備え、ロッキングユニットが本体と係合するときはキャビティを閉じ、ロッキング部材が開錠された場合は本体から離脱可能になる錠前。
【請求項２】
ロックユニットを解放すると、サブユニットが本体から移動可能になる請求項１に記載の錠前。
【請求項３】
ロッキングユニットとサブユニットは別体に形成され、ロッキングユニットが本体から解放されると、サブユニットはロッキングユニットから取り外し可能になる請求項２に記載の錠前。
【請求項４】
ロッキングユニットとサブユニットは連結し、ロッキングユニットが本体から解放されるとサブユニットがロッキングユニットから外れる請求項１に記載の錠前。
【請求項５】
ロッキングユニットとサブユニットは分離しない請求項４に記載の錠前。
【請求項６】
ロッキングユニットは本体内のキャビティに収まる請求項１〜５の何れかに記載の錠前。
【請求項７】
キャビティは空洞内に電力源及び／又は電力によって作動するシステムに通ずる開いた端部を備え、前記ロッキングユニットが本体との係合を解除してロッキングユニットと係合すると前記端部が閉じられる請求項１〜６の何れかに記載の錠前。
【請求項８】
キャビティはロッキングユニットが本体から解放される際にサブユニットに通ずる開いた端部を有し、前記ロッキングユニットに係合するときはサブユニットへの連絡を防止するために前記端部が閉じる請求項１〜７の何れかに記載の錠前。
【請求項９】
ロッキングユニットはハウジングを備え、ハウジングはロッキング機構を備えた請求項１〜８の何れかに記載の錠前。
【請求項１０】
ロッキングユニットは一般的に筒状のハウジングを有し、キャビティはハウジングを収容する筒状の空洞部を備えた請求項９に記載の錠前。
【請求項１１】
ロッキング機構は鍵で操作され、ロッキングユニットのハウジングには鍵穴が備えられ、一方向へ鍵を回すとロッキングユニットが解放されて、本体から分離される請求項９又は１０に記載の錠前。
【請求項１２】
一方向への鍵の操作は最初にロッキング部材を解放し、次いで本体から離すためにロッキングユニットを解放する請求項１１に記載の錠前。
【請求項１３】
本体からロッキングユニットを分離するとロッキング部材が外れる請求項１１に記載の錠前。
【請求項１４】
ロッキング部材が施錠位置にあって本体とロッキングユニットが再係合すると、ロッキング部材は施錠位置に維持され、鍵を反対方向に回転すると、施錠位置でロッキングユニットが本体にロックされる請求項１３に記載の錠前。
【請求項１５】
電力源はロッキング機構に連結し、モジュールは電力源に連結し、鍵の操作によってモジュールが作動する請求項１４に記載の錠前。
【請求項１６】
ロッキング機構は少なくとも１個のロッキングピンを有し、１個又は各ピンはロッキング機構の操作により伸縮可能であり、ロッキング機構は各ピンを円周外に伸ばしてロッキングユニットを本体にロックするために本体と係合させ、１個又は各ピンをロッキング機構の操作により中心方向に引き込ませ、本体からロッキングユニットを解放する請求項１〜１５の何れかに記載の錠前。
【請求項１７】
電力源は少なくとも１個の電池から成る請求項１〜１６の何れかに記載の錠前。
【請求項１８】
電子モジュールはラジオ波発信機、データ蓄積装置、診断装置、センサ又はアラームである請求項１〜１７の何れかに記載の錠前。
【請求項１９】
ロッキングユニットは防水性である請求項１〜１８の何れかに記載の錠前。
【請求項２０】
サブユニットは電子装置を操作し、停止させるスイッチを備えた請求項１〜１４の何れかに記載の錠前。
【請求項２１】
少なくとも１個の予備のサブユニットを備え、サブユニットは予備のサブユニットと交換可能である請求項１〜２０の何れかに記載の錠前。
【請求項２２】
少なくとも１個の予備のサブユニットを備え、ロッキングユニットは１個又は予備のロッキングユニットと交換可能である請求項１〜２０の何れかに記載の錠前。
【請求項２３】
少なくとも１個の予備の本体を備え、本体は１個又は予備の本体と交換可能である請求項１〜２０の何れかに記載の錠前。
【発明の詳細な説明】
【技術分野】
【０００１】
本発明は錠前に関するものである。
【背景技術】
【０００２】
従来から知られる錠前は、本体と、この本体に対して施錠位置と開錠位置の間を移動可能なロッキング部材と、ロッキング部材を施錠位置にロックし、また開錠位置に戻す際には開錠操作を可能にするロック機構を備えている。そのような錠前がいたずらされた場合に作動する、例えばアラームのような電気装置を錠前に組み込むことはよく知られている。通常、アラームは本体内に電力源と共に別体に組み込まれ、メンテナンスや電池交換のために取出口が設けられる。このような錠前は電気装置を取り込める構造でなければならず、また電気装置を外したり、交換する際には治具も必要になる。各錠前は別体に電子回路を取り込める構造でなければならない。
【発明の開示】
【課題を解決するための手段】
【０００３】
本発明によるポンプは、本体と、施錠位置に出し入れする際に本体に対して移動し得るロッキング部材と、本体と係合して施錠位置にロッキング部材をロックし、施錠位置からロッキング部材を外すために開錠可能にする機械的なロッキングユニットと、本体に通ずるキャビティと、キョビティ内に配置されるサブユニットとを備え、サブユニットは電力源とこの電力源によって作動する装置を備え、ロッキングユニットが本体と係合するときはキャビティを閉じ、ロッキング部材が開錠された場合は本体から離脱可能になる錠前である。
【発明の効果】
【０００４】
ロッキングユニットが取り外されると、サブユニットが作動するようになる。サブユニットはその中に電力源と電子装置を取り込むことによって、錠前の補修や交換及び／又は操作に寄与することができる。
【発明を実施するための最良の形態】
【０００５】
以下に図面を用いて、本発明の２つの実施例をより詳しく説明する。
【０００６】
先ず、図１について説明する。図１〜図３に示した錠前は参照符号１０が付された本体により形成され、本体１０はバレル１２に連結する一対のアーム１１を備えている。アーム１１とバレル１２は例えば鋼材から一体に形成される。各アーム１１は対応する孔１３を有し、２個の孔１３は同軸に配置される。棒状のロッキング部材１４が孔１３を通して伸び、２本のアーム１１間のギャップを橋渡しする。
【０００７】
図２、図３に示すように、バレル１２の内部は、一端を開き他端を閉じたキャビティから成る円筒状の空洞部１５から形成される。空洞部１５は孔１３の共通軸と平行な軸を有する。空洞部１５の開いた端部側には、隣接する孔１３の中心に向けて本体１０を貫通する通路１６が配置される。空洞部１５の１対のロッキング孔１７は、通路１６と直角な線上にあって、空洞部１５の径方向の対向する位置に配置される。通路１６とロッキング孔１７の作用については以下に述べる。
【０００８】
取り出し可能なユニット１８は空洞部１５内に配置され、３種類の部品から形成される。即ち、ロッキングユニット１９と、電池収容部２０から成るサブユニットと、電子モジュール２１である。ロッキングユニット１９は円筒状のハウジング２３を備えた円形の端板２２から形成される。端板２２から離れたハウジング２３の他の端部には円周状にねじ山２４が刻まれている。ハウジング２３は端板２２に挿入される図示しない鍵により作動する図示しないロック機構を備えている。鍵を一方向に回すと、ハウジング２３の円周上に配置された１対のロッキングピンがハウジング２３から外に向けて突出する。
【０００９】
ロッキングピンはハウジング２３の径方向の対向する位置に配置され、そのうちの１個を参照符号２５で示す。
【００１０】
また、電池収容部２０は２個の電池を収容する円筒状のハウジング２６を備えている。ハウジングは２個所に接触点２９を備えた端面２８を有する。
【００１１】
また、電子モジュール２１は一端を閉じ、他端を開いた円筒状のハウジング３０を有し、ハウジング３０にはロッキングユニット１９のねじ山２４と螺合する図示しないねじ山が刻まれている。電池収容部２０は電子モジュールハウジング３０の開いた端部に取り付けられ、モジュール２１内の電子装置に電力を供給する。
【００１２】
図１〜図３に示した例では、電子モジュール２１は図示しないアラーム機構を備えているが、電子モジュールは例えばラジオ波発信機、データ蓄積機構、診断機構、又は光やガスを検知するセンサで構成されてもよい。アラーム機構は図示しない移動センサと、電子モジュールハウジング３０の閉じた端部にサイレン３１を備えている。
【００１３】
通路１６には互いに反対方向を向いた２個の留金３２、３３が取り付けられる。各留金３２、３３は半球状の頭部３５を備えた棒状体３４から構成される。各棒状体３４はコイルばね３６の各端部に挿入され、留金３２、３３を通路１６の対向する位置に配置された各端部間で固定するために、コイルばね３６の一端は一方の留金の頭部３５と後方で係止し、コイルばね３６の他端は他方の留金の頭部３５と後方に係止する。
【００１４】
錠前は次のように作動する。
【００１５】
図１に示すように、錠前のロッキング部材１４はアーム１１に挿通され、バレル１２内の空洞部１５に配置されるユニット１８は施錠位置から外されている。次いで、ユニット１８が端板２２にノッチ３７を付けた空洞部１５内に挿入される。その際に、空洞部１５内でユニット１８が正しく装着されるように端板２２のノッチ３７と空洞部１５の端部に配されたノッチ３８は互いの位置が照合される。端板２２を介して図示しない鍵を鍵穴を介してロッキングユニット１９に挿入して回すと、ロッキングピン２５が伸びてロッキング孔１７に挿入され、その結果、ユニット１８は本体１０に固定され、空洞部１５は塞がれる。
【００１６】
ユニット１８が空洞部１５に挿入されると、留め金３３がコイルばね３６を上方に押圧し、留め金３２をロッキング部材１４の空隙部分３９に押し入れて、ロッキング部材１４を本体１０にロックする。この結果、ロッキング部材１４の取り外しは不可能になる。錠前をいたずらすると、電子モジュール２１が作動してサイレン３１が鳴る。空洞部１５の閉じた端部には音が外に出るように加工された孔４０が空けられている。
【００１７】
ロッキング部材１４を開放する際には、端板２２を通してロッキングユニット１９の鍵穴に鍵を再び差込んで回すと、伸びていたロッキングピン２５はロッキングユニット１９に引き戻される。これによって、ユニット１８は空洞部１５から外れ、留め金３２、３３を解放し、ロッキング部材１４も外れるようになる。
【００１８】
電池収容部２０はユニット１８の部分であるサブユニットの一部を形成しているので、電池収容部２０はユニット１８と共に外される。これによって、電池２７は簡便に交換することができる。更に、電子モジュール２１の補修も簡単かつ容易になる。加えて、図３から分るように、電子モジュール２１は必要に応じてアラームをオン又はオフ状態にするための切換スイッチ４１を備えることができる。
【００１９】
図４を参照して説明する。図４に示す錠前は部分的には図１〜図３に示した錠前と共通する部品を有している。これらの部品についての詳細は省略し、図４では図１〜図３と同じ参照符号を使用する。
【００２０】
図４の錠前は参照符号４６を付した底面と、２本のアーム４４、４５を有するU字型のロッキング部材４３から成る本体４２とから構成される。ロッキング部材４３が施錠位置にあるときは、アーム４４、４５の自由端はそれぞれに対応する本体４２内の通路に収容される。開錠した位置ではロッキング部材４３は本体４２から外れ、アーム４４、４５もそれぞれの通路から外れる。本体４２は一端を開き、他端を閉じたキャビティと、底面４６の開いた端部と、図１〜図３の通路を有する空洞部１５と類似する空洞部とを有し、図１〜図３で参照した通路１６、ロッキング孔１７、留め金３２、３３と類似の通路、孔、留め金を備えている。ユニット１８は図１〜図３に示したものと同じものである。
【００２１】
使用に際しては、ユニット１８が空洞部１５に挿入され、前述のように鍵を回すとロッキングピン２５が伸びてロッキング孔１７に入り、本体４２にユニット１８をロックする。同時に、ロッキングユニット１９が留め金３２に作用してU字型のロッキング部材４３を施錠位置に固定する。
【００２２】
前述のように、スイッチを入れておけば、錠前がいたずらされた場合にサイレン３１が鳴り出す。
【００２３】
図示しない鍵はロッキングピン２５とロッキング孔１７の作用を停止するために用いられ、ユニット１８を本体４２から外れるようにする。これによってU字型のロッキング部材４３が解放され、ロッキング部材４３は施錠状態を解かれ、本体４２から分離される。
【００２４】
図を参照して説明した上記の２つの実施例においては、本体１０にユニット１８を装着しても機械的な施錠の強さが損なわれることはない。同時に、ユニット１８は補助的な開口がなくとも、電池２７の交換や電子モジュール２１の操作は可能になる。電池２７を交換するための取出口を除くことができるので、電子装置へのいたずら防止を別個に保障する必要がなくなる。また、取出口を開けるための余分な道具も不要になる。
【００２５】
ユニット１８を使用すれば、補修やグレードアップの時に全ての電子装置を容易に取り外すことができる。
【００２６】
更に、別体のユニット１８と本体１０、４２の組み合わせのように、同じユニット１８は異なる種類の錠前本体で使えるので、多くの錠前で電子装置を取り込んだモジュール構成を可能にする。ユニット１８は必要があれば安価で、効率的な防水性にすることもできる。ユニット１８はユニット１８自身がそのように形成されるように、様々な部品によるモジュール構成を可能にするので、電子モジュール２１及び／又はロッキングユニット１９の場合も同様に様々な構成を可能にする。このような種類のロッキングユニットは、それぞれ異なる鍵で操作するロッキング機構を有するロッキングユニットであってもよい。従って、ユニット１８から成る錠前は交換用のユニットと交換できるユニットを備えている。錠前は交換用のサブユニットで交換するサブユニットを備えることもできる。錠前はまた交換用のロッキングユニットで交換するロッキングユニットを備えることもできる。ユニット１８、サブユニット又はロッキングユニット１９は他の錠前の交換用ユニット、サブユニット又はロッキングユニットのそれぞれと交換することができる。
【００２７】
ロッキング機構に電子装置を追加する場合に、そのコストはサブユニットのコストだけで決まる。本体１０、４２或いはロッキング部材１４、４３との適合性を考える必要はない。電子モジュール２１はアラームだけでなく、ラジオ波発信機、データ記録装置、診断装置、センサ、光又はガス感知器の取り付けにも使われる。
【００２８】
多種類の製品は製造元、販売会社で安いコストで保管される。何故ならば、本体１０、４２は安いコストで製造され、一方でユニット１８又はユニットを構成するサブユニットやロッキングユニットは、全ての本体１０、４２に組み込めるので、ユニットに組み込まれるサブユニット、ロッキングユニットは少ない容積で貯蔵することができるためである。
【００２９】
上記の図面を参照して説明した錠前には多くの使い方がある。上述の実施例では、ロッキング部材１４、４３はユニット１８を空洞部１５に挿入することによって施錠されたが、施錠する方法はこれに限定されるものではない。ロッキング部材１４、４３の施錠は鍵を回し、更に鍵を回してユニット１８を本体１０、４２にロックすることによって達成させることもできる。一方で、鍵を一方向に１回転して元に戻すと、ロッキング部材１４、４３が施錠又は開錠し、鍵を逆方向に１回転して元に戻すと、ユニット１８を本体１０、４２に対して施錠又は開錠することもできる。後者の場合に、ユニット１８は点検、補修が必要な時のみ外すことができる。
【００３０】
ロッキングユニット１９は必要な如何なる形態のロッキング機構も収容することができる。上記の例では、鍵で操作するロッキングメカニズムについて触れたが、ロッキング機構は必ずしも鍵で操作する必要はなく、電子装置による方法又は他の方法で操作してもよい。
【００３１】
上記の実施例では、電子モジュール２１はロッキングユニット１９のねじ山２４に螺合するためのねじ山を有する円筒状のハウジング３０を備えている。ロッキングユニット１９と電子モジュール２１は連結する必要はなく、連結の可能性を持つ必要もない。もし連結されずに本体から施錠部が外れても、本体にはサブユニットが残される。電子モジュールは稼働し、及び／又は電池もそのまま交換される。電子モジュールとロッキングユニットとは分離可能である必要もない。即ち、それぞれに対応するハウジングは１個のハウジングにまとめることができるからである。ロッキングユニットと電子モジュールの連結はねじの螺合に限られものではなく、分離可能にしてもよいし、他の手段による結合に従ってもよい。
【図面の簡単な説明】
【００３２】
【図１】本体と本体から分離可能なユニットを含む錠前の斜視図である。
【図２】図１と類似しているが、ユニットを展開し上面又は側面から見た図である。
【図３】図１に示した錠前の断面を示しており、錠前のロッキング部材はロック状態にあり、ユニットは本体内に装着されている。
【図４】第２の実施例になる錠前の斜視図であり、錠前の本体と本体から分離したユニットを示している。
【図１】
2008513627.tif 000003
【図２】
2008513627.tif 000004
【図３】
2008513627.tif 000005
【図４】
2008513627.tif 000006
【手続補正書】
【提出日】平成19年7月20日(2007.7.20)
【手続補正１】
【補正対象書類名】図面
【補正対象項目名】全図
【補正方法】変更
【補正の内容】
【図１】
2008513627.tif 000007
【図２】
2008513627.tif 000008
【図３】
2008513627.tif 000009
【図４】
2008513627.tif 000010
【国際調査報告】
2008513627.tif 000011
2008513627.tif 000012
2008513627.tif 000013